(57)【特許請求の範囲】
【請求項１】
略中空状のケース部と、前記ケース部内に配設した端子部と、前記端子部と協働すると共に前記ケース部から一部露出した刃受移動部と、で本体部を構成する電源コンセントであって、
前記端子部は、電源プラグの栓刃を挟持・開放自在とする導通挟持片を対向配置した挟持機構を備え、
前記刃受移動部は、前記栓刃を挿抜自在とする栓刃差込孔を形成すると共に前記刃受移動部を上下動自在に構成した移動機構を備え、
前記栓刃を前記栓刃差込孔に差し込む際、前記電源プラグと共に前記刃受移動部を押下すると前記挟持機構により前記導通挟持片が前記栓刃を挟持し、
前記栓刃を前記栓刃差込孔から抜き取る際、前記電源プラグと共に前記刃受移動部を更に押下すると前記挟持機構により前記導通挟持片が前記栓刃を開放するよう構成したことを特徴とする電源コンセント。
【請求項２】
前記刃受移動部は、上部に前記栓刃差込孔を形成すると共に下方開口の中空状に形成し、前記挟持機構は、前記刃受移動部の下方において前記刃受移動部により略囲繞するよう構成したことを特徴とする請求項１に記載の電源コンセント。
【請求項３】
前記移動機構は、前記刃受移動部と、前記刃受移動部の下方に配設され前記刃受移動部に略係合する回転体と、前記刃受移動部と前記回転体とを略囲繞する前記ケース部に形成した移動規制部と、前記回転体を上方に向けて付勢する付勢部と、でオルタネイト機構を構成したことを特徴とする請求項１または２に記載の電源コンセント。
【請求項４】
前記端子部は、前記導通挟持片を立設した固定端子台と、前記導通挟持片を立設した移動端子台と、帯状の薄板バネと、からなり、前記移動端子台は前記固定端子台に向けて進退自在に構成すると共に、前記薄板バネの一方の端部を前記刃受移動部の上部裏面に略固定し他方の端部を前記移動端子台に固定することで前記刃受移動部の上下動に協働して前記移動端子台が移動するよう構成した前記挟持機構を備えることを特徴とする請求項１乃至３の何れか１項に記載の電源コンセント。
【請求項５】
前記刃受移動部の外周面と近接して囲繞する前記ケース部の周側面は、少なくとも前記ケース部の上面とは異なる色彩で形成したことを特徴とする請求項１乃至４の何れか１項に記載の電源コンセント。
【発明の詳細な説明】
【技術分野】
【０００１】  本発明は、電源プラグを電源コンセントから抜き取りやすくした電源コンセントに関する。
【背景技術】
【０００２】  従来の電源コンセント（テーブルタップ等を含む）は、電源プラグが意図せず電源コンセントから抜けないような構造をしている。電源コンセント内部にある通電金具には、電源プラグの下端部にある穴に引っ掛ける釣鐘状の引っ掛けがあり、その構造が電源プラグを抜きにくくする仕組みとなっている。【０００３】  しかし、上記の構造では、電源プラグを外したいとき、力を入れて電源コンセントから外さないといけないので、高齢者や女性など力が弱い人にとって外しづらく、非常に不便なものだった。【０００４】  また、上記の通電金具において何度か電源プラグを抜き差しすることで、釣鐘状の引っ掛けが消耗してしまう。現状では、引き抜きやすい電源プラグの開発は多数開発されているが、電源コンセントに電源プラグが外しやすくなる構造を施してある技術はごく少数であった。【０００５】  特許文献１に記載されている技術では、電源コンセントなどに関しプラグ受口に差し込まれた電源プラグを押し釦の押下によって容易に抜き取る技術が開示されている。
【先行技術文献】
【特許文献】
【０００６】
【特許文献１】実開平１−１２４６７８号公報
【発明の概要】
【発明が解決しようとする課題】
【０００７】  確かに、特許文献１に記載された技術は、電源コンセントなどに差し込まれた電源プラグが押し釦を押圧することでバネなどの伝達機構が働くので有効な技術である。【０００８】  しかしながら、固定された通電金具に強固に挟持された電源コンセントの栓刃を通電金具から解放するには押し釦を強く押圧しなければならず、特に垂直な壁面に設置された電源コンセントから電源プラグを抜去する際に押す力を伝達し難いという問題を有していた。【０００９】  また、電源コンセントに押し釦等の伝達機構を配設する必要があるため電源コンセントの小型化にも限界があった。【００１０】  本発明は、以上のような事情に鑑みてなされたものであり、電源コンセントに対して電源プラグの押下操作だけで電源プラグを電源コンセントから抜去し易くした電源コンセントを提供することにある。
【課題を解決するための手段】
【００１１】  以上のような目的を達成するために、本発明は以下のようなものを提供する。【００１２】  請求項１に係る発明では、略中空状のケース部と、前記ケース部内に配設した端子部と、前記端子部と協働すると共に前記ケース部から一部露出した刃受移動部と、で本体部を構成する電源コンセントであって、前記端子部は、電源プラグの栓刃を挟持・開放自在とする導通挟持片を対向配置した挟持機構を備え、前記刃受移動部は、前記栓刃を挿抜自在とする栓刃差込孔を形成すると共に前記刃受移動部を上下動自在に構成した移動機構を備え、前記栓刃を前記栓刃差込孔に差し込む際、前記電源プラグと共に前記刃受移動部を押下すると前記挟持機構により前記導通挟持片が前記栓刃を挟持し、前記栓刃を前記栓刃差込孔から抜き取る際、前記電源プラグと共に前記刃受移動部を更に押下すると前記挟持機構により前記導通挟持片が前記栓刃を開放するよう構成したことを特徴とする電源コンセントを提供せんとする。【００１３】  請求項２に係る発明では、前記刃受移動部は、上部に前記栓刃差込孔を形成すると共に下方開口の中空状に形成し、前記挟持機構は、前記刃受移動部の下方において前記刃受移動部により略囲繞するよう構成したことを特徴とする請求項１に記載の電源コンセントを提供せんとする。【００１４】  請求項３に係る発明では、前記移動機構は、前記刃受移動部と、前記刃受移動部の下方に配設され前記刃受移動部に略係合する回転体と、前記刃受移動部と前記回転体とを略囲繞する前記ケース部に形成した移動規制部と、前記回転体を上方に向けて付勢する付勢部と、でオルタネイト機構を構成したことを特徴とする請求項１または２に記載の電源コンセントを提供せんとする。【００１５】  請求項４に係る発明では、前記端子部は、前記導通挟持片を立設した固定端子台と、前記導通挟持片を立設した移動端子台と、帯状の薄板バネと、からなり、前記移動端子台は前記固定端子台に向けて進退自在に構成すると共に、前記薄板バネの一方の端部を前記刃受移動部の上部裏面に略固定し他方の端部を前記移動端子台に固定することで前記刃受移動部の上下動に協働して前記移動端子台が移動するよう構成した前記挟持機構を備えることを特徴とする請求項１乃至３の何れか１項に記載の電源コンセントを提供せんとする。【００１６】  請求項５に係る発明では、前記刃受移動部の外周面と近接して囲繞する前記ケース部の周側面は、少なくとも前記ケース部の上面とは異なる色彩で形成したことを特徴とする請求項１乃至４の何れか１項に記載の電源コンセントを提供せんとする。
【発明の効果】
【００１７】  本発明によれば、略中空状のケース部と、ケース部内に配設した端子部と、端子部と協働すると共にケース部から一部露出した刃受移動部と、で本体部を構成する電源コンセントであって、端子部は、電源プラグの栓刃を挟持・開放自在とする導通挟持片を対向配置した挟持機構を備え、刃受移動部は、栓刃を挿抜自在とする栓刃差込孔を形成すると共に刃受移動部を上下動自在に構成した移動機構を備え、栓刃を栓刃差込孔に差し込む際、電源プラグと共に刃受移動部を押下すると挟持機構により導通挟持片が栓刃を挟持し、栓刃を栓刃差込孔から抜き取る際、電源プラグと共に刃受移動部を更に押下すると挟持機構により導通挟持片が栓刃を開放するよう構成したことより、電源コンセントに対して電源プラグの押下操作だけで電源プラグを電源コンセントから容易に抜去することができる。
【図面の簡単な説明】
【００１８】
【図１】（ａ）は本実施形態に係る電源コンセントの刃受移動部の斜視説明図で、（ｂ）は収納部に形成された移動規制部を説明する斜視説明図で、（ｃ）は回転体の斜視説明図で、（ｄ）は他の回転体を示す斜視説明図である。
【図２】（ａ）は本実施形態に係る移動機構の刃受移動部が上方に位置する状態を示す正面透視説明図で、（ｂ）は（ａ）の内部の状態を示す簡易透視説明図である。
【図３】（ａ）は本実施形態に係る移動機構の刃受移動部が下方に位置する状態を示す正面透視説明図で、（ｂ）は（ａ）の内部の状態を示す簡易透視説明図である。
【図４】（ａ）は本実施形態に係る移動機構の刃受移動部を更に押下した状態を示す正面透視説明図で、（ｂ）は（ａ）の内部の状態を示す簡易透視説明図である。
【図５】（ａ）は本実施形態に係る移動機構の付勢部と端子部の位置関係を示す説明図で、（ｂ）は（ａ）の他の付勢部を示す説明図である。
【図６】（ａ）は本実施形態に係る挟持機構の移動端子台の簡易断面図で、（ｂ）は移動端子台の動きを示す簡易説明図である。
【図７】（ａ）、（ｂ）は本実施形態に係る電源コンセントの他の例を示す斜視説明図である。
【発明を実施するための形態】
【００１９】  本発明に係る電源コンセントの要旨は、略中空状のケース部と、ケース部内に配設した端子部と、端子部と協働すると共にケース部から一部露出した刃受移動部と、で本体部を構成する電源コンセントであって、端子部は、電源プラグの栓刃を挟持・開放自在とする導通挟持片を対向配置した挟持機構を備え、刃受移動部は、栓刃を挿抜自在とする栓刃差込孔を形成すると共に刃受移動部を上下動自在に構成した移動機構を備え、栓刃を栓刃差込孔に差し込む際、電源プラグと共に刃受移動部を押下すると挟持機構により導通挟持片が栓刃を挟持し、栓刃を栓刃差込孔から抜き取る際、電源プラグと共に刃受移動部を更に押下すると挟持機構により導通挟持片が栓刃を開放するよう構成したことを特徴とする。すなわち、電源コンセントに対して電源プラグの押下操作だけで電源プラグを電源コンセントから容易に抜去することができる電源コンセントの提供を図ろうとするものである。
【００２０】  以下、本発明に係る電源コンセントの一実施形態について図面を参照しながら説明する。また、本説明中において左右同一又は左右対称の構造や部品については、原則として同一の符号を付し、左右何れか一方のみを説明して、他方については説明を適宜省略する。
【００２１】  また、本説明中や図面中においては、電源プラグＰの栓刃ｓと導通する端子部１４や端子部１４から外部に導通する配線等を適宜省略しているが、本発明に係る電源コンセント１が電源プラグＰと通電状態に構成されることは言うまでもない。
【００２２】  また、本発明におけるオルタネイト機構とは、刃受移動部２４の押下操作毎に刃受移動部２４の高さが交互に上下する機構と定義する。
【００２３】  なお、本発明に係る電源コンセント１は、壁面等に設置されるものだけでなく、例えば、図７（ａ）に示すように本体部２の一部に栓刃ｓを突設したコンセントタップ１００や図７（ｂ）に示すように本体部２の一部から伸延させた電源ケーブルｃの端部に電源プラグＰを配設したテーブルタップ１０１等であってもよい。
【００２４】  本発明の実施形態に係る電源コンセント１は、図１（ａ）〜（ｃ）、図２（ａ）、（ｂ）、図７（ａ）、（ｂ）に示すように、略中空状のケース部３と、ケース部３内に配設した端子部１４と、端子部１４と協働すると共にケース部３から一部露出した刃受移動部２４と、で本体部２を構成する電源コンセント１であって、端子部１４は、電源プラグＰの栓刃ｓを挟持・開放自在とする導通挟持片１６を対向配置した挟持機構１５を備え、刃受移動部２４は、栓刃ｓを挿抜自在とする栓刃差込孔２６を形成すると共に刃受移動部２４を上下動自在に構成した移動機構２３を備え、栓刃ｓを栓刃差込孔２６に差し込む際、電源プラグＰと共に刃受移動部２４を押下すると挟持機構１５により導通挟持片１６が栓刃ｓを挟持し、栓刃ｓを栓刃差込孔２６から抜き取る際、電源プラグＰと共に刃受移動部２４を更に押下すると挟持機構１５により導通挟持片１６が栓刃ｓを開放するよう構成している。
【００２５】  また、移動機構２３は、刃受移動部２４と、刃受移動部２４の下方に配設され刃受移動部２４に略係合する回転体３３と、刃受移動部２４と回転体３３と、を略囲繞するケース部３に形成した移動規制部５と、回転体３３を上方に向けて付勢する付勢部３９と、でオルタネイト機構を構成している。
【００２６】  具体的には、刃受移動部２４は、図１（ａ）に示すように、下方開口で略円筒状の中空状に形成した開口縁部に凹凸をなす山２８と谷２９を連続形成した刃受嵌合部２７を有すると共に、上部２５に矩形状の２つの栓刃差込孔２６を穿設している。
【００２７】  なお、本実施形態では刃受嵌合部２７の山２８と谷２９を各々７つ形成している。
【００２８】  刃受移動部２４は、後述するケース部３に形成した収納部４内において上下動自在に構成しているが、収納部４内で回動せず、また、収納部４から上方に突出して脱落しないように略矩形ブロック状の回動規制部３０を所定の厚みで周側面から外側に向けて突設している。
【００２９】  なお、本実施形態では刃受移動部２４の上部２５を下部よりも小径に形成すると共に、ケース部３において収納部４の上方開口径を刃受移動部２４の下部側が突出しない程度に形成することでも刃受移動部２４の脱落防止を図っているが、刃受移動部２４の回動や脱落の防止機構については本実施形態に限定されるものではない。
【００３０】  また、回転体３３は、図１（ｃ）に示すように、刃受移動部２４の直径と略同径に形成した上下開口の略円管状の回転本体３４と、回転本体３４の外周側面から外側に突出した回転凸部３５と、で構成している。
【００３１】  また、本実施形態では、回転凸部３５は回転本体３４の外周側面に等間隔で３箇所形成しており、回転凸部３５は、回転本体３４の下端から上方に伸延しつつ回転本体３４の上端を越えて上方に突出した矩形ブロック状に形成し、突出したその上端部は回転本体３４の厚みと同厚みで形成している。
【００３２】  また、回転凸部３５の上端部は、刃受移動部２４に形成した刃受嵌合部２７の傾斜と同角度の移動傾斜３６を形成することで刃受嵌合部２７と回転凸部３５が略係合するよう形成している。
【００３３】  また、本実施形態では、後述する付勢部３９の上端と安定して当接するよう回転凸部３５の下端周縁に幅広のフランジ３８を形成している。
【００３４】  なお、回転体３３は、図１（ｄ）に示すように、内周壁を上方に膨出して上部を閉塞した形状とした嵌合凸部３７を備えた回転体３３ａであってもよい。
【００３５】  ケース部３は、図１（ｂ）に示すように、刃受移動部２４と回転体３３を内部に収納できるようケース部３の上部から下方中途部に向けて略円筒状に伸延する収納部４を形成すると共に、収納部４の内周側面から所定の厚みで内側に突出した移動規制部５を形成している。
【００３６】  また、本実施形態では、移動規制部５は収納部４の内周側面に等間隔で３箇所形成しており、移動規制部５は、正面視で上辺を面一に水平に連接した２つの台形を結合した形状とし、下辺には移動傾斜３６と同角度のスライド傾斜６とガイド傾斜７を形成しつつスライド傾斜６の上端とガイド傾斜７の下端を鉛直な規制壁８で連接している。
【００３７】  また、移動規制部５の左右辺は鉛直に形成しており、隣接する移動規制部５の間隙を移動溝９として回転凸部３５が上下摺動自在に略係合する程度の幅員で形成している。
【００３８】  また、本実施形態では、移動規制部５の略中央部において収納部４内で刃受移動部２４が回動せず上下移動可能なように、回動規制部３０が上下摺動自在な略矩形箱状のガイド溝１２を形成している。
【００３９】  なお、ガイド溝１２は、刃受移動部２４に形成された回動規制部３０の数だけ移動規制部５に形成され、また、ガイド溝１２は、移動規制部５の上辺を越えるように上端を開放して形成しても良いが、その場合、収納部４から刃受移動部２４が上方に脱落しないように、上述した収納部４の上方の開口径と刃受移動部２４の下部の直径を考慮する等の脱落防止の構成を採用する。
【００４０】  また、回転体３３の直下には、図５（ａ）に示すように、回転体３３を上方に向けて付勢する付勢部３９として圧縮バネ４０を１つ配設しており、圧縮バネ４０は、回転本体３４の直径に近似した直径で下端部をケース部３の下部に位置決めして載置し、上端部に回転本体３４の下端面を当接載置している。
【００４１】  圧縮バネ４０は、後述する端子部１４を囲繞するように配設されると共に、回転本体３４が脱落しないように回転本体３４にフランジ３８を形成することや、回転本体３４を厚く形成することや、回転本体３４に脱落防止のガイドを設ける等することができる。
【００４２】  なお、付勢部３９は本実施形態に限定されず、例えば、図５（ｂ）に示すように小型で小径の圧縮バネ４１を複数配設する等、本発明の要旨の範囲内において種々の変形・変更が可能である。
【００４３】  このように、上述した移動機構２３は、電源プラグＰの栓刃ｓを栓刃差込孔２６に差し込む際、電源プラグＰと共に刃受移動部２４を押下すると刃受移動部２４が下方に位置決めされ、栓刃ｓを栓刃差込孔２６から抜き取る際、電源プラグＰと共に刃受移動部２４を更に押下すると刃受移動部２４が上方の元の位置に戻る所謂オルタネイト機構を構成する。
【００４４】  具体的には、電源コンセント１に電源プラグＰを差し込む前、すなわち、刃受移動部２４の上面がケース部３の上面と略面一の状態を示す図２（ａ）においては、刃受移動部２４の刃受嵌合部２７と回転体３３の回転凸部３５の移動傾斜３６とが略係合しつつ回転凸部３５が収納部４の移動溝９に位置した状態で上方に付勢している。
【００４５】  この状態から電源プラグＰの栓刃ｓを栓刃差込孔２６に差し込むと、図３（ａ）に示すように、付勢部３９に抗して刃受移動部２４が押下され、回転体３３も移動溝９内を下方に移動しながら回転凸部３５の移動傾斜３６が移動規制部５のスライド傾斜６まで到達することで、移動溝９から回転凸部３５が脱落すると同時に移動傾斜３６がスライド傾斜６に沿って左方に回転しつつ規制壁８と当接して停止する。
【００４６】  すなわち、電源プラグＰの差し込みにより刃受移動部２４が下方に位置決めされ、刃受移動部２４の上面がケース部３の上面よりも下方に位置する状態となる。
【００４７】  従って、本実施形態に係る電源コンセント１では、刃受移動部２４の外周面と近接して囲繞するケース部３の周側面は、少なくともケース部３の上面とは異なる色彩で形成することで刃受移動部２４が押下状態であるか否かを認識し易くなる。
【００４８】  また、この状態から栓刃ｓを栓刃差込孔２６から抜き取る際、電源プラグＰと共に刃受移動部２４を更に押下すると、図４（ａ）に示すように、規制壁８により停止していた回転凸部３５は移動傾斜３６と刃受嵌合部２７とが略係合しつつ回転体３３が下方に移動しながら移動傾斜３６がガイド傾斜７まで到達することで、移動傾斜３６がガイド傾斜７に沿って移動溝９まで左方に回転して移動する。
【００４９】  その後、付勢部３９により回転凸部３５が移動溝９の上方に向かって上昇する。すなわち、回転体３３と刃受移動部２４は、図２（ａ）に示すように、電源コンセント１に電源プラグＰを差し込む前の状態に戻ることになる。
【００５０】  次に、本実施形態に係る挟持機構１５の構成について具体的に詳述する。
【００５１】  端子部１４は、図６（ｂ）に示すように、電源プラグＰの栓刃ｓを挟持・開放自在とする導通挟持片１６を対向配置した挟持機構１５を備えている。
【００５２】  具体的には、端子部１４は、導通挟持片１６ａを立設した固定端子台１８と、導通挟持片１６ｂを立設した移動端子台１９と、帯状の薄板バネ２０と、からなり、移動端子台１９は固定端子台１８に向けて進退自在に構成すると共に、薄板バネ２０の一方の端部を刃受移動部２４の上部２５裏面に略固定し、他方の端部を移動端子台１９に固定することで刃受移動部２４の上下動と協働して移動端子台１９が移動する挟持機構１５を構成する。
【００５３】  なお、内周壁を上方に膨出して上部を閉塞した形状とした嵌合凸部３７を備えた上述の回転体３３ａを用いる場合は、薄板バネ２０の一方の端部は回転体３３ａの上部裏面に略固定すればよい。
【００５４】  対向する導通挟持片１６ａ，１６ｂは、各々上部を外側に傾斜を設けて屈曲させた矩形板状の金属材料で形成し、移動端子台１９に立設した導通挟持片１６ｂには、電源プラグＰの栓刃ｓの先端部近傍に穿設された抜け止め用の孔と係合する凸部１７を内側に向けて突設している。
【００５５】  凸部１７は、上部を略直角とし下方に傾斜した正面視略直角三角形状に形成しており、このように形成することで、電源コンセント１から電源プラグＰを抜去する際、電源プラグＰと共に刃受移動部２４を押下せず、一般的な電源コンセントのようにそのまま電源プラグＰを引き抜いても栓刃ｓの抜け止め用の孔から凸部１７が外れやすいため端子部１４に負荷を与えることがない。
【００５６】  また、凸部１７は、上述の形状とは逆に、下部を略直角とし上方に傾斜した正面視略直角三角形状に形成してもよく、このように形成することで、電源コンセント１から電源プラグＰを抜去する際、電源プラグＰと共に刃受移動部２４を押下せず、一般的な電源コンセントのようにそのまま電源プラグＰを引き抜いても栓刃ｓの抜け止め用の孔に凸部１７が強く係合し外れないようにして正しい使用方法を守らせることもできる。
【００５７】  なお、凸部１７の形状は本実施形態に限定されず、半円球状であったり等、種々の変形・変更が可能である。
【００５８】  固定端子台１８と移動端子台１９は、図２（ｂ）や図５（ａ）に示すように、ケース部３の下部側から上方に突設した基台部１０の上面に配設し、固定端子台１８は基台部１０に固定され、移動端子台１９は図６（ａ）に示すように、断面視逆Ｔ字状に形成して基台部１０に形成した同じく断面視逆Ｔ字状の空間１１内に前後摺動自在に配設している。
【００５９】  また、薄板バネ２０は、図２（ｂ）に示すように、刃受移動部２４や回転体３３の周面側に湾曲するよう配設することで、上述した挟持機構１５の全体が刃受移動部２４の下方において刃受移動部２４によりコンパクトに略囲繞される。
【００６０】  このように構成した挟持機構１５は、刃受移動部２４が上方に位置すれば、薄板バネ２０が移動端子台１９を固定端子台１８に向けて押し出すことはなく対向する導通挟持片１６ａ，１６ｂは所定の間隙を保持し、刃受移動部２４が下方に位置すれば、薄板バネ２０が移動端子台１９を固定端子台１８に向けて押し出して、対向する導通挟持片１６ａ，１６ｂが栓刃ｓを挟持可能に近接する。
【００６１】  従って、上述した移動機構２３と協働する挟持機構１５は、電源プラグＰの栓刃ｓを栓刃差込孔２６に差し込む際、電源プラグＰと共に刃受移動部２４を押下すると刃受移動部２４が下方に位置決めされると共に導通挟持片１６ａ，１６ｂが栓刃ｓを挟持し、栓刃ｓを栓刃差込孔２６から抜き取る際、電源プラグＰと共に刃受移動部２４を更に押下すると刃受移動部２４が上方の元の位置に戻ると共に導通挟持片１６ａ，１６ｂが栓刃ｓを開放する。
【００６２】  具体的には、電源コンセント１に電源プラグＰを差し込む前、すなわち、刃受移動部２４の上面がケース部３の上面と略面一の状態を示す図２（ｂ）においては、対向する導通挟持片１６ａ，１６ｂは離反しており、この状態から電源プラグＰの栓刃ｓを栓刃差込孔２６に差し込むと、図３（ｂ）に示すように、刃受移動部２４が押下され、対向する導通挟持片１６ａ，１６ｂが栓刃ｓを挟持したまま保持する。
【００６３】  また、この状態から栓刃ｓを栓刃差込孔２６から抜き取る際、電源プラグＰと共に刃受移動部２４を更に押下すると、図４（ｂ）に示すように、移動機構２３が動作して刃受移動部２４が上昇し、その後、図２（ｂ）に示すように、対向する導通挟持片１６ａ，１６ｂが栓刃ｓを開放して電源コンセント１に電源プラグＰを差し込む前の状態に戻ることになる。
【００６４】  なお、挟持機構１５の構成は本実施形態に限定されず、また、挟持機構１５を構成する薄板バネ２０や導通挟持片１６の形状や、移動端子台１９の摺動構造についても本実施形態に限定されず、本発明の要旨の範囲内において種々の変形・変更が可能である。
【００６５】  以上、説明したように本実施形態に係る電源コンセント１は構成しており、略中空状のケース部３と、ケース部３内に配設した端子部１４と、端子部１４と協働すると共にケース部３から一部露出した刃受移動部２４と、で本体部２を構成する電源コンセント１であって、端子部１４は、電源プラグＰの栓刃ｓを挟持・開放自在とする導通挟持片１６を対向配置した挟持機構１５を備え、刃受移動部２４は、栓刃ｓを挿抜自在とする栓刃差込孔２６を形成すると共に刃受移動部２４を上下動自在に構成した移動機構２３を備え、栓刃ｓを栓刃差込孔２６に差し込む際、電源プラグＰと共に刃受移動部２４を押下すると挟持機構１５により導通挟持片１６が栓刃ｓを挟持し、栓刃ｓを栓刃差込孔２６から抜き取る際、電源プラグＰと共に刃受移動部２４を更に押下すると挟持機構１５により導通挟持片１６が栓刃ｓを開放するよう構成したことより、電源コンセント１に対して電源プラグＰの押下操作だけで電源プラグＰを電源コンセント１から容易に抜去することができる。
【００６６】  また、刃受移動部２４は、上部に栓刃差込孔２６を形成すると共に下方開口の中空状に形成し、挟持機構１５は、刃受移動部２４の下方において刃受移動部２４により略囲繞するよう構成したことより、本体部２をコンパクトに形成することができる。
【００６７】  また、移動機構２３は、刃受移動部２４と、刃受移動部２４の下方に配設され刃受移動部２４に略係合する回転体３３と、刃受移動部２４と回転体３３とを略囲繞するケース部３に形成した移動規制部５と、回転体３３を上方に向けて付勢する付勢部３９と、でオルタネイト機構を構成したことより、部品点数が少ないシンプルな構成でありながら電源コンセント１に対して電源プラグＰの押下操作だけで電源プラグＰを電源コンセント１から容易に抜去することができる。
【００６８】  更に、端子部１４は、導通挟持片１６を立設した固定端子台１８と、導通挟持片１６を立設した移動端子台１９と、帯状の薄板バネ２０と、からなり、移動端子台１９は固定端子台１８に向けて進退自在に構成すると共に、薄板バネ２０の一方の端部を刃受移動部２４の上部２５裏面に略固定し他方の端部を移動端子台１９に固定することで刃受移動部２４の上下動に協働して移動端子台１９が移動するよう構成した挟持機構１５を備えることより、部品点数が少ないシンプルな構成でありながら電源プラグＰの栓刃ｓを容易に挟持・開放することができる。
【００６９】  しかも、刃受移動部２４の外周面と近接して囲繞するケース部３の周側面は、少なくともケース部３の上面とは異なる色彩で形成したことより、刃受移動部２４が押下状態であるか否か、すなわち、電源プラグＰに電気が通電しているか否かを容易に認識することができる。
【００７０】  以上、本発明の本実施形態に係る電源コンセント１の好ましい実施形態について説明したが、本発明は特定の実施形態に限定されるものではなく、種々の変形・変更が可能である。
【符号の説明】
【００７１】    ｓ  栓刃
Ｐ  電源プラグ
１  電源コンセント
２  本体部
３  ケース部
５  移動規制部
１０  手指刺激部
１４  端子部
１５  挟持機構
１６  導通挟持片
１８  固定端子台
１９  移動端子台
２０  薄板バネ
２３  移動機構
２４  刃受移動部
２６  栓刃差込孔
３３  回転体
３９  付勢部
【要約】
【課題】電源コンセントに対して電源プラグの押下操作だけで電源プラグを電源コンセントから抜去し易くした電源コンセントを提供する。
【解決手段】本発明に係る電源コンセント１は、ケース部３と、端子部１４と、端子部１４と協働する刃受移動部２４と、で本体部２を構成する電源コンセント１であって、端子部１４は、電源プラグＰの栓刃ｓを挟持・開放自在とする導通挟持片１６を対向配置した挟持機構１５を備え、刃受移動部２４は、栓刃ｓを挿抜自在とする栓刃差込孔２６を形成すると共に刃受移動部２４を上下動自在に構成した移動機構２３を備え、栓刃ｓを栓刃差込孔２６に差し込む際、電源プラグＰと共に刃受移動部２４を押下すると挟持機構１５により導通挟持片１６が栓刃ｓを挟持し、栓刃ｓを栓刃差込孔２６から抜き取る際、電源プラグＰと共に刃受移動部２４を更に押下すると挟持機構１５により導通挟持片１６が栓刃ｓを開放するよう構成したことを特徴とする。
【選択図】図２【図１】
0006792920.tif 000002
【図２】
0006792920.tif 000003
【図３】
0006792920.tif 000004
【図４】
0006792920.tif 000005
【図５】
0006792920.tif 000006
【図６】
0006792920.tif 000007
【図７】
0006792920.tif 000008